(57)【要約】      （修正有）【課題】中蓋を外蓋と一括して蝶番ピンで容器本体に回動自在に取り付けた場合に、外蓋と中蓋が一緒に共回りすることを防止可能で、外蓋を開いてからその後で中蓋を開くという開放順序を適切に確保でき、この共回りの防止作用により、フリーストップ機能を付与することが可能な多段式コンパクト容器を提供する。【解決手段】容器本体２とこれを開閉する外蓋３との間に、容器本体から外蓋にわたって挿通される蝶番ピンにより当該外蓋と一括して、容器本体に対し回動自在に中蓋５を取り付けた多段式コンパクト容器１において、容器本体と中蓋との間に、中蓋が外蓋とともに共回りすることを規制するリブ１９を設けるとともに、外蓋および中蓋を任意の回動位置で停止可能とするために、蝶番ピンの挿通嵌合度合いを、容器本体よりもこれら中蓋および外蓋に対して強く設定した。【選択図】図１
2006263187.tif 000002
【特許請求の範囲】
【請求項１】
容器本体とこれを開閉する外蓋との間に、該容器本体から該外蓋にわたって挿通される蝶番ピンにより当該外蓋と一括して、該容器本体に対し回動自在に中蓋を取り付けた多段式コンパクト容器において、
上記容器本体と上記中蓋との間に、該中蓋が上記外蓋とともに共回りすることを規制する規制手段を設けるとともに、上記外蓋および上記中蓋を任意の回動位置で停止可能とするために、上記蝶番ピンの挿通嵌合度合いを、上記容器本体よりもこれら中蓋および外蓋に対して強く設定したことを特徴とする多段式コンパクト容器。
【発明の詳細な説明】
【技術分野】
【０００１】
本発明は、中蓋を外蓋と一括して蝶番ピンで容器本体に回動自在に取り付けた場合に、外蓋と中蓋が一緒に共回りしてしまうことを防止することが可能で、外蓋を開いてからその後で中蓋を開くという開放順序を適切に確保することができるとともに、この共回りの防止作用により、外蓋に適切にフリーストップ機能を付与でき、さらには中蓋にも、外蓋とは別個の独立したフリーストップ機能を付与することが可能な多段式コンパクト容器に関する。
【背景技術】
【０００２】
容器本体とこれを開閉する外蓋との間に、中蓋や中皿、中枠を備えた多段式のコンパクト容器が知られている（特許文献１〜３参照）。この種のコンパクト容器では、容器本体の左右一対のヒンジ部と外蓋のヒンジブロックとの間に、中蓋等の一対のヒンジ片を、ヒンジブロックを挟むように配置し、ヒンジ部の挿通孔からヒンジ片の貫通孔を介してヒンジブロックの装着孔にまでわたって一連に蝶番ピンを挿通することで、容器本体に対し中蓋等および外蓋を一括して回動自在に取り付けるようにしている。
【特許文献１】特開平１０−３７７７４号公報
【特許文献２】特開平１０−７２４１１号公報
【特許文献３】特開平１０−７２４１２号公報
【発明の開示】
【発明が解決しようとする課題】
【０００３】
ところで、このような多段式コンパクト容器にあっては、容器本体を開放するために外蓋を回動させると、ヒンジブロックの装着孔による蝶番ピンの引きずり作用によって、ヒンジ部の挿通孔内で蝶番ピンが回転してしまう場合があり、この際さらに、蝶番ピンとヒンジ片の貫通孔との摺接作用により、当該蝶番ピンの回転で中蓋等も回動してしまうという課題があった。特に、外蓋を任意の回動位置で停止可能とするフリーストップ作用が得られるように、容器本体よりも外蓋に対して蝶番ピンの挿通嵌合度合いを強く設定すると、このような不都合が生じる場合が多かった。外蓋と中蓋等との間に、パフを収納したり、化粧料収納部を配置した場合などには、外蓋を開いてからその後で中蓋を開く必要があるが、外蓋と中蓋が一緒に共回りしてしまうと、中蓋を一旦戻す操作をしてからパフを取り出したり化粧操作をする必要があり、良好な使い勝手を確保することができなかった。
【０００４】
本発明は上記従来の課題に鑑みて創案されたものであって、中蓋を外蓋と一括して蝶番ピンで容器本体に回動自在に取り付けた場合に、外蓋と中蓋が一緒に共回りしてしまうことを防止することが可能で、外蓋を開いてからその後で中蓋を開くという開放順序を適切に確保することができるとともに、この共回りの防止作用により、外蓋に適切にフリーストップ機能を付与でき、さらには中蓋にも、外蓋とは別個の独立したフリーストップ機能を付与することが可能な多段式コンパクト容器を提供することを目的とする。
【課題を解決するための手段】
【０００５】
本発明にかかる多段式コンパクト容器は、容器本体とこれを開閉する外蓋との間に、該容器本体から該外蓋にわたって挿通される蝶番ピンにより当該外蓋と一括して、該容器本体に対し回動自在に中蓋を取り付けた多段式コンパクト容器において、上記容器本体と上記中蓋との間に、該中蓋が上記外蓋とともに共回りすることを規制する規制手段を設けるとともに、上記外蓋および上記中蓋を任意の回動位置で停止可能とするために、上記蝶番ピンの挿通嵌合度合いを、上記容器本体よりもこれら中蓋および外蓋に対して強く設定したことを特徴とする。
【発明の効果】
【０００６】
本発明にかかる多段式コンパクト容器にあっては、中蓋を外蓋と一括して蝶番ピンで容器本体に回動自在に取り付けた場合に、外蓋と中蓋が一緒に共回りしてしまうことを防止することができ、外蓋を開いてからその後で中蓋を開くという開放順序を適切に確保することができるとともに、この共回りの防止作用により、外蓋に適切にフリーストップ機能を付与でき、さらには中蓋にも、外蓋とは別個の独立したフリーストップ機能を付与することができる。
【発明を実施するための最良の形態】
【０００７】
以下に、本発明にかかる多段式コンパクト容器の好適な一実施形態を、添付図面を参照して詳細に説明する。本実施形態にかかる多段式コンパクト容器１は基本的には、図１〜図４に示すように、容器本体２とこれを開閉する外蓋３との間に、容器本体２から外蓋３にわたって挿通される蝶番ピン４により当該外蓋３と一括して、容器本体２に対し回動自在に中蓋５を取り付けた多段式コンパクト容器１において、容器本体２と中蓋５との間に、中蓋５が外蓋３とともに共回りすることを規制する規制手段６を設けるとともに、外蓋３および中蓋５を任意の回動位置で停止可能とするために、蝶番ピン４の挿通嵌合度合いを、容器本体２よりもこれら中蓋５および外蓋３に対して強く設定して構成される。
【０００８】
容器本体２は合成樹脂により平面外形輪郭が矩形状に形成され、化粧料収納部７を有するとともに、前端の凹所８には係合突起９が形成され、後端にはその左右方向両端から後方へ突出させて一対のヒンジ部１０が形成される。容器本体２を開閉する外蓋３は、合成樹脂製で容器本体２の平面外形輪郭に一致する平面外形輪郭で形成され、凹所８へ向かって垂下された前端のフック片１１には、係合突起９と係脱自在に係合される係止突起１２が形成され、後端にはその左右方向中央からヒンジ部１０間に垂下させてヒンジブロック１３が形成される。
【０００９】
中蓋５も合成樹脂製で、容器本体２の平面外形輪郭に一致する平面外形輪郭で形成され、下面に鏡１４が取り付けられるとともに、上面には外蓋３との間に収納されるパフ１５を載置する受け皿面１６が形成される。また中蓋５には、前端にフック片１１が挿通される孔部１７が形成されるとともに、後端には、その左右方向に間隔を隔ててかつヒンジ部１０間に向かって垂下させて、左右一対のヒンジ片１８が形成され、これらヒンジ片１８はヒンジブロック１３とその両側の各ヒンジ部１０との間の隙間に挿入される。
【００１０】
従って、容器本体２の後端には、ヒンジブロック１３の左右に各ヒンジ片１８が位置し、これらヒンジ片１８の外側にそれぞれ各ヒンジ部１０が位置されて、ヒンジ部１０の側面とヒンジ片１８の側面とが互いに向かい合うように配置される。そして、容器本体２の各ヒンジ部１０それぞれから、中蓋５の各ヒンジ片１８を貫通させて外蓋３のヒンジブロック１３に向かって、左右一対の蝶番ピン４が挿通され、これら蝶番ピン４により、中蓋５は外蓋３と一括して、容器本体２に回動自在に取り付けられ、中蓋５は化粧料収納部７を開閉するようになっている。
【００１１】
中蓋５が外蓋３とともに共回りすることを規制する規制手段６は、容器本体２のヒンジ部１０と中蓋５のヒンジ片１８との間に設けられる。本実施形態にあっては規制手段６は、左右のヒンジ部１０にその側面から各ヒンジ片１８の側面へ向かって一体的に突出形成され、これらヒンジ片１８に摺接してその回動を制動する左右一対のブロック状のリブ１９で構成されている。これらリブ１９は、中蓋５の開き初めに各ヒンジ片１８に摺接して当該中蓋５の回動を制動することができれば足り、従って、化粧料収納部７を閉じた状態のヒンジ片１８に摺接されるように、その位置および寸法が設定される。図示例にあっては、各リブ１９は、中蓋５の閉止状態から開き始めの回動期間に相当する位置に対応させて、容器本体２の後端上部位置から、ヒンジ片１８の回動方向である後方へ向かって相当の長さでヒンジ部１０に形成されている。本実施形態にあっては、リブ１９を左右のヒンジ部１０それぞれに設けて一対備えるようにしたが、いずれか一方のヒンジ部１０に設ければよい。
【００１２】
さらに、蝶番ピン４の挿通嵌合度合いは、外蓋３および中蓋５それぞれを個別に任意の回動位置で停止可能とするために、容器本体２のヒンジ部１０よりもこれら中蓋５のヒンジ片１８および外蓋３のヒンジブロック１３に対して強く設定される。具体的には、これらヒンジ部１０、ヒンジ片１８およびヒンジブロック１３に一連に形成される蝶番ピン挿通孔２０の内径寸法を、ヒンジ部１０よりもヒンジ片１８およびヒンジブロック１３で小さく形成すればよい。あるいは、蝶番ピン４の外径寸法を、ヒンジ部１０よりもヒンジ片１８およびヒンジブロック１３に挿通される位置で大きく形成すればよい。
【００１３】
これにより、蝶番ピン４は、外蓋３もしくは中蓋５が回動されると、ヒンジ部１０では摺動回転する一方で、ヒンジ片１８およびヒンジブロック１３とは大きな摺動摩擦抵抗によって一緒に回転することが可能で、これによりフリーストップ作用を確保することができる。中蓋５と外蓋３との関係では、外蓋３の回動時には、蝶番ピン４はリブ１９の制動作用で制止された中蓋５のヒンジ片１８に対して摺動回転し、外蓋３のみがフリーストップ作用を受けつつ回動され、他方、中蓋５の回動時には、中蓋５および外蓋３はともにフリーストップ作用を受けつつ中蓋５の回動操作に従って回動され、外蓋３が容器本体２に対してほぼ１８０°で開き切るとその後は、蝶番ピン４は外蓋３のヒンジブロック１３に対して摺動回転して、中蓋５のみがフリーストップ作用を受けつつ回動される。
【００１４】
本実施形態にかかる多段式コンパクト容器１の作用について説明する。組み立てる際には、リブ１９が形成された容器本体２のヒンジ部１０間に中蓋５のヒンジ片１８および外蓋５のヒンジブロック１３を順次嵌め込み、容器本体２の左右から一対の蝶番ピン４を打ち込めばよい。容器本体２を開放するには、容器本体２の係合突起９から外蓋３の係止突起１２を離脱させて、外蓋３を回動させていく。この外蓋３の回動操作に際しては、蝶番ピン４の挿通嵌合度合いを容器本体２よりも外蓋３に対して強く設定しているので、蝶番ピン４はヒンジ部１０で摺動回転しつつ外蓋３のヒンジブロック１３の回動と一緒に回転する。これにより、フリーストップ作用を効かせながら、外蓋３を開放することができる。またこの外蓋３の開放操作の際、中蓋５は、ヒンジ片１８が容器本体２のリブ１９による制動作用を受けてその回動が制止され、閉じた状態に維持される。
【００１５】
次いで、外蓋３を開くことで露出された受け皿部１６のパフ１５を取り出した後、中蓋５を回動させて化粧料収納部７を開放する。中蓋５を回動操作していく際にも、蝶番ピン４の挿通嵌合度合いを容器本体２よりも中蓋５に対して強く設定しているので、蝶番ピン４はヒンジ部１０で摺動回転しつつ中蓋５のヒンジ片１８の回動と一緒に回転する。これにより、フリーストップ作用を効かせながら、中蓋５を開放することができる。中蓋５の回動操作中の外蓋３は、開き切るまで中蓋５とともに回動し、外蓋３がほぼ１８０°まで開き切った時点でその後中蓋５のみが回動されることになる。容器本体２を閉じるときには、中蓋５を閉じ、受け皿部１６上にパフ１５を載置した後、外蓋３を閉じることになる。この閉じ操作に際しては、１８０°で開き切った外蓋３はその重量により中蓋５とともに共回りすることが阻止されて、中蓋５のみを回動操作することができ、まず中蓋５を閉じ、その後外蓋３を閉じることができる。
【００１６】
以上説明した本実施形態にかかる多段式コンパクト容器１にあっては、容器本体２のヒンジ部１０と中蓋５のヒンジ片１８との間に、中蓋５が外蓋３とともに共回りすることを規制するリブ１９を設けたので、外蓋３を開いてからその後で中蓋５を開くという開放手順を適切に確保することができる。また、当該リブ１９を設けるとともに、蝶番ピン４の挿通嵌合度合いを、容器本体２のヒンジ部１０よりも中蓋５のヒンジ片１８および外蓋３のヒンジブロック１３に対して強く設定したので、外蓋３独自のフリーストップ作用を確保できるとともに、中蓋５にも独自のフリーストップ作用を確保することができ、これにより開放操作性を向上することができる。
【００１７】
詳細に説明すると、中蓋の共回りは、外蓋を回動操作すると、蝶番ピンが外蓋と一緒に容器本体に対して回転してしまうことが原因であることから、これを阻止するには蝶番ピンを外蓋よりも容器本体に対し強い挿通嵌合度合いで挿通すればよいと考えられる。しかしながらこのようにすると、容器本体のヒンジ部に割れが生じやすくなってしまう。また、容器本体に対する挿通嵌合度合いを強く設定したくても、容器本体の平面外形輪郭が円形であるなどデザインの面から、蝶番ピンが挿通されるヒンジ部の寸法を長く設定することができず、このようにデザイン上強い挿通嵌合度合いを確保できない場合もある。
【００１８】
このような事情から、外蓋の回動とともに回転する蝶番ピンによって中蓋も共に回動してしまう。そこで、中蓋の共回りを防ぐ観点から、中蓋のヒンジ片に対する蝶番ピンの挿通嵌合度合いを弱くすることも考えられるが、このようにすると中蓋のフリーストップ作用を確保できなくなってしまう。本実施形態にあっては、中蓋５の共回りを規制するリブ１９を設けたので、蝶番ピン４による割れを防止しつつ、中蓋５に対する挿通嵌合度合いを強く設定することによる中蓋５のフリーストップ作用の確保と、中蓋５の共回り防止とを両立することができる。
【００１９】
図５および図６には、上記実施形態の変形例が示されている。この変形例は、リブ１９を、ヒンジ部１０ではなく、当該ヒンジ部１０の側面に面する中蓋５のヒンジ片１８の側面に設けるようにしたこと以外は、上記実施形態と同様であり、このような変形例にあっても上記実施形態と同様の作用効果を得ることができる。また、上記実施形態にあっては、リブ１９をブロック状に形成したが、球面状に形成しても良い。さらに、上記実施形態にあっては、リブ１９をヒンジ部１０やヒンジ片１８に一体的に形成する場合を例示して説明したが、別体の部品として取り付けるようにしても良く、この場合リブ１９をゴムなどの弾性素材で形成するようにしても良い。また本実施形態にあっては、容器本体２等の平面外形輪郭が矩形状である場合を例示して説明したが、蝶番ピン４の容器本体２に対する挿通嵌合度合いを強く確保する必要がないので、円形状等、どのようなデザインであっても適用することができる。
【図面の簡単な説明】
【００２０】
【図１】本発明にかかる多段式コンパクト容器の好適な一実施形態を示す外蓋および中蓋を開いた状態の要部斜視図である。
【図２】図１に示した多段式コンパクト容器の側断面図である。
【図３】図１の多段式コンパクト容器の外蓋のみを開いた状態を示す要部側断面図である。
【図４】図１の多段式コンパクト容器の中蓋を開いた状態を示す要部側断面図である。
【図５】本発明にかかる多段式コンパクト容器の変形例を示す外蓋のみを開いた状態の要部側断面図である。
【図６】図５の多段式コンパクト容器の中蓋を開いた状態を示す要部側断面図である。
【符号の説明】
【００２１】
１  多段式コンパクト容器
２  容器本体
３  外蓋
４  蝶番ピン
５  中蓋
６  規制手段
１９  リブ
【図１】
2006263187.tif 000003
【図２】
2006263187.tif 000004
【図３】
2006263187.tif 000005
【図４】
2006263187.tif 000006
【図５】
2006263187.tif 000007
【図６】
2006263187.tif 000008